(57)【要約】【課題】収納物の充填時に自立用治具を取り付けて容器の自立させ，充填後は自立用治具を取り外せるようにして自立製のあるフレキシブルな容器を安価に提供できるようにする。また，フレキシブルな容器を反復して使用しても，積み重ねて使用しても容器を傷めることがないようにする。【解決手段】角型容器本体の，対向する側面の一組にそれぞれ対角線状に板状若しくは線状の弾性体を着脱自在に取り付けると共に，対向する側面の他の一組の上縁に板状若しくは線状の弾性体を取り付ける。角型容器本体の側面の上縁に取り付ける弾性体は，着脱自在とすることもできる。また，弾性体を幅広の袋体で被覆することもできる。【選択図】  図１
2004149160.tif 000002
【特許請求の範囲】
【請求項１】
底部と方形の側面とから構成された布或いは合成樹脂シートから成る角型容器本体の，対向する側面の一組にそれぞれ対角線状に板状若しくは線状の弾性体を着脱自在に取り付けると共に，対向する側面の他の一組の上縁に板状若しくは線状の弾性体を取り付けた自立型のフレキシブル容器。
【請求項２】
側面の上縁に取り付ける弾性体が着脱自在である請求項１に記載の自立型のフレキシブル容器。
【請求項３】
弾性体が幅広の袋体で被覆してある請求項１又は請求項２に記載の自立型のフレキシブル容器。
【請求項４】
対向する側面の一組にそれぞれ対角線状に取り付ける弾性体がＦＲＰの板若しくはポールである請求項１乃至請求項３に記載の自立型のフレキシブル容器。
【請求項５】
側面の上縁に沿って取り付ける弾性体がＦＲＰの板若しくはポールである請求項１乃至請求項４に記載の自立型のフレキシブル容器。
【請求項６】
対向する側面の一組にそれぞれ対角線状に取り付ける弾性体がＦＲＰの板若しくはポールを袋体で被覆してある請求項１乃至請求項５に記載の自立型のフレキシブル容器。
【請求項７】
側面の上縁に沿って取り付ける弾性体がＦＲＰの板若しくはポールを袋体で被覆してある請求項１乃至請求項７に記載の自立型のフレキシブル容器。
【発明の詳細な説明】
【０００１】
【発明の属する技術分野】
本発明は，自立型のフレキシブルな容器に関するものである。
【０００２】
【従来の技術】
従来より，フレキシブルな容器として，布製或いは合成樹脂シート製の角形或いは筒形のものが提供されている。これらのフレキシブルな容器は，非使用時には小さく折り畳めるため，保管に運搬に便宜なところから広く利用されている。しかし，これらのフレキシブルな容器は，そのままでは物品を収納する際に上部を開口したまま自立できないので，物品収納作業に不便である。そこで，従来から，これらのフレキシブルな容器を物品収納作業時に自立させるための種々の工夫が行われている。
【０００３】
例えば，図８に示した後記特許文献１に記載の自立式穀粒収納容器のように，四角柱状の袋本体２０の少なくとも向かい合う一組の側面に対角線状に２本のロッド２１に配置し，袋本体２０にロッド２１の両端を保持するポケット状の保持部２２と，ロッド２１の交差部分を挿通する保持部２３を縫着したものが提案されている。
【０００４】
しかし，上記の自立式穀粒収納容器は，単価が高いだけでなく，実際には，袋本体２０の横方向への変形の抑制ができないため，少なくとも向かい合う全ての側面にロッド２１を配置しなければ自立しないし，図９に示したように，隣接する側面同士を重ね合わせて折り畳むほかなく，側面の面積以下には折り畳めないだけでなく折り畳んでも相当の厚みがあり，取扱に不便なものであった。更に，上記の自立式穀粒収納容器は，穀粒を収納して積み重ねると，荷重によりロッドが折損して袋本体２０を破損する虞があった。
【０００５】
また，後記特許文献２に記載の折り畳み容器のように，上面が開放する立方体形状の箱体の上端部の各辺部と２個の面部で形成する稜線に，筒状部を縫着又は溶着し，この筒状部に剛性を付与するプラスチック製或いは金属製パイプまたは線材からなる補強部材を挿入したものが提案されている。
【０００６】
しかし，上記折り畳み容器は，前記自立式穀粒収納容器同様，単価が高いだけでなく，折り畳みが面倒であり，折り畳むと相当の厚みがあり，取扱に不便なものであった。更に，上記折り畳み容器は，容積を大きくして穀粒の収納等に使用した場合，積み重ねると荷重により補強部材により容器を傷める虞があった。
【０００７】
【特許文献１】
特開２００１−８８８４５号公報（第２頁  図１，図２）
【０００８】
【特許文献２】
特開平１０−１１４３２９（第２頁  図１，図２〜図９）
【０００９】
【発明が解決しようとする課題】
本発明は，フレキシブルな容器の自立機能は収納物の充填時にだけに必要で，充填後には自立機能が不用であることに着目し，収納物の充填時に自立用治具を取り付けて容器の自立させ，充填後は自立用治具を取り外せるようにして自立製のあるフレキシブルな容器を安価に提供できるようにし，また，反復して使用しても容器を傷めることがないようにすることを目的とする。
【００１０】
【課題を解決するための手段】
上記の目的を達成するための本発明の構成は，底部と方形の側面とから構成された布或いは合成樹脂シートから成る角型容器本体の，対向する側面の一組にそれぞれ対角線状に板状若しくは線状の弾性体を着脱自在に取り付けると共に，対向する側面の他の一組の上縁に板状若しくは線状の弾性体を取り付けたものである。
【００１１】
また，本発明は，角型容器本体の側面の上縁に取り付ける弾性体を着脱自在とすることができる。
【００１２】
また，本発明は，対向する側面の一組に角線状に取り付けられる弾性体を幅広の袋体で被覆することが出来る。弾性体を幅広の袋体で被覆すると，弾性体の曲げ弾性の作用する面積を増加させることができ，角型容器本体の横方向への変形を有効に抑制することができる。そして，本発明は，角型容器本体の対向する側面の一組にそれぞれ対角線状に取り付けられる弾性体，及び，側面の上縁に沿って取り付ける弾性体として，ＦＲＰの板体若しくはポール又はこれらを袋体で被覆したものを使用することも出来る。袋体で被覆したものを使用すると，長期にわたる反復使用しても，過誤により角型容器本体を傷つける可能性を回避することができるし，ＦＲＰの曲げ弾性の作用する面積を増加させることができるのでＦＲＰの重量の増加を抑制できる。角型容器本体の側面の上縁に取り付ける弾性体についても同様である。もとより，本発明は，角型容器本体の横方向への変形を抑制できるものであればＦＲＰに限らず，任意の弾性体を使用することが出来る。
【００１３】
【発明の実施の形態】
以下、  図面を参照して，本発明の実施の形態を説明する。
【００１４】
図１乃至図５を参照して本発明の実施の一形態を説明すると，角型容器本体１は，布或いは合成樹脂シートから成り，底部２と方形の４つの側面３とから構成されており，上部を開放してある。
【００１５】
角型容器本体１の４つの側面３の中央上部には，それぞれ吊り部材４が縫着等の手段により取り付けられている。
【００１６】
角型容器本体１の対向する側面３の一組の隅角部には，マジックテープ（登録商標）５が縫着等の手段により取り付けられている。また，角型容器本体１の対向する側面３の他の一組の上縁には，マジックテープ（登録商標）６が縫着等の手段により取り付けられている。そして，角型容器本体１は，非使用時には，上記の状態で小さく折り畳まれている。
【００１７】
上記角型容器本体１は，使用に際し，対向する側面３の一組の隅角部に２枚の弾性体７が交差状態でそれぞれ着脱自在に取り付けられると共に，対向する側面３の他の一組の上縁に２枚の弾性体８が上縁に沿ってそれぞれ着脱自在に取り付けられる。弾性体７，８の取り付けは，角型容器本体１の隅角部と上縁に取り付けられたマジックテープ（登録商標）５，６と弾性体７，８に縫着等の手段により取り付けられたマジックテープ（登録商標）９，１０とにより行われる。弾性体７，８を取り付けると，角型容器本体１は横方向への変形が抑制されるので自立する。
【００１８】
図例の角型容器本体１は，高さ１．５ｍ以下，縦横１．１ｍ以下，自重３Ｋｇ以下に形成されいる。弾性体７，８は，所定の剛性があれば板状のものでも差し支えないが，反復使用した際角に型容器本体１を傷つける危険が大きく，重量も重くなることから，図例にあっては，経済性，作業性を考慮し，不飽和ポリエステル樹脂を使用し，引き抜き成形によって作られる補強材であるガラス含有率が６０％〜７０％の６ｍｍΦ〜９ｍｍΦの棒状のものを使用している。この弾性体７，８は，曲げ強さ７０〜１２０Ｋｇｆ／ｍｍ２，曲げ弾性率３０００〜４０００Ｋｇｆ／ｍｍ２としてある。また，弾性体７，８は，図５に示した通り，幅５０ｍｍの袋体１１で被覆したものを使用し，角型容器本体１の横方向への変形が抑制している。
【００１９】
本発明の実施に際しては，側面３の上縁に取り付けられる弾性体８を予め縫着等の手段により固定的に取り付けることもある。フレキシブル容器の長期にわたる，そして，頻繁な使用が予定されている場合には，側面３の上縁の弾性体８を固定的に取り付けることが望ましい。
【００２０】
こうして自立したフレキシブル容器に穀粒等の収納物を充填する。穀粒等の収納物を充填すると，角型容器本体１は中央部を中心として膨らむが，弾性体７，８はその曲げ弾性により膨らみに追随し，脱落することはない。
【００２１】
穀粒等の収納物の充填が終了すると，図３に示したように，弾性体７，８を取り外し，吊り部材４又は吊り部材４に挿通した紐１２で吊り下げて移動し，所定の保管場所に保管される。その際，弾性体７，８が取り外されているので，図４に示したように，２段に重ねて積むこともできる。
【００２２】図６は，本発明の別の実施の形態を示したものである。この実施形態は，吊り部材４を，角型容器本体１の角部に縫着等の手段により取り付けたものである。
【００２３】
また，図７は，本発明の別の実施の形態を示したものである。この実施形態は，布或いは合成樹脂シートから成るループを角型容器本体１の底部２を経由して対向する側面３の中央上部にかけて縫着等の手段により取り付けて吊り部材４としたものである
【００２４】
【発明の効果】
以上に説明した通り，本発明は，角型容器本体を自立させる弾性体を着脱自在とすることにより，角型容器本体の収納・保存の機能と，弾性体の自立の機能とを分離し，収納物の充填のときのみにほしい自立機能を確保することができる。そして，自立させる弾性体を多数の角型容器本体に使用することができるだけでなく，非使用時には角型容器本体を小さく折り畳むことができ，保管に運搬に便宜となる効果がある。
【００２５】
また，本発明によれば，容器を自立させる手段が着脱自在であるので，従来の自立手段が固定的に取り付けられている容器と比較して，容器本体を損傷する虞が極めて少ないし，自立手段自体の価格も安価に製作することができるし，充填や充填後の移動・保管も作業性よく行うことができる。
【００２６】
更に，本発明によれば，容器を自立させる手段が着脱自在であるので，従来の自立型容器では困難であった積み重ねて保管することが可能となる等，優れた効果が期待できる。
【図面の簡単な説明】
【図１】本発明のフレキシブル容器の一実施例の充填時における斜視図
【図２】図１の例の分解斜視図
【図３】図１の例の使用を説明する斜視図
【図４】図１の例の充填後の積み重ねた状態を示す斜視図
【図５】図１の例が使用している弾性体の一部を切り欠いた正面図
【図６】本発明の別の実施例の斜視図
【図７】本発明の図１及び図６と異なる実施例の斜視図
【図８】従来の自立式穀粒収納容器の斜視図
【図９】図８自立式穀粒収納容器の折り畳み方法を示す斜視図
【符号の説明】
１        角型容器本体
２        底部
３        側面
４        吊り部材
５，６    マジックテープ（登録商標）
７，８    弾性体
９，１０  マジックテープ（登録商標）
１１        袋体
１２        紐
２０        袋本体
２１        ロッド
２２        ポケット状の保持部
２３        ロッドの交差部分の保持部
【図１】
2004149160.tif 000003
【図２】
2004149160.tif 000004
【図３】
2004149160.tif 000005
【図４】
2004149160.tif 000006
【図５】
2004149160.tif 000007
【図６】
2004149160.tif 000008
【図７】
2004149160.tif 000009
【図８】
2004149160.tif 000010
【図９】
2004149160.tif 000011
【手続補正書】
【提出日】平成14年10月31日(2002.10.31)
【手続補正１】
【補正対象書類名】明細書
【補正対象項目名】特許請求の範囲
【補正方法】変更
【補正の内容】
【特許請求の範囲】
【請求項１】
底部と方形の側面とから構成された布或いは合成樹脂シートから成る角型容器本体の，対向する側面の一組にそれぞれ対角線状に板状若しくは線状の弾性体を着脱自在に取り付けると共に，対向する側面の他の一組の上縁に板状若しくは線状の弾性体を取り付けた自立型のフレキシブル容器。
【請求項２】
側面の上縁に取り付ける弾性体が着脱自在である請求項１に記載の自立型のフレキシブル容器。
【請求項３】
弾性体が幅広の袋体で被覆してある請求項１又は請求項２に記載の自立型のフレキシブル容器。
【請求項４】
対向する側面の一組にそれぞれ対角線状に取り付ける弾性体がＦＲＰの板若しくはポールである請求項１乃至請求項３に記載の自立型のフレキシブル容器。
【請求項５】
側面の上縁に沿って取り付ける弾性体がＦＲＰの板若しくはポールである請求項１乃至請求項４に記載の自立型のフレキシブル容器。
【請求項６】
対向する側面の一組にそれぞれ対角線状に取り付ける弾性体がＦＲＰの板若しくはポールを袋体で被覆してある請求項１乃至請求項５に記載の自立型のフレキシブル容器。
【請求項７】
側面の上縁に沿って取り付ける弾性体がＦＲＰの板若しくはポールを袋体で被覆してある請求項１乃至請求項６に記載の自立型のフレキシブル容器。